(57)【要約】【課題】手が届き難く狭い作業スペースでも、安全に能率良くロープ油をワイヤロープに塗布できるようにする。【解決手段】実施形態に係るロープ油塗布用治具は、ワイヤロープ20の表面にロープ油を塗布するための治具であって、一対の細長い挟み棒31、32を中間位置で回動自在に軸28を介して連結した治具本体と、挟み棒31、32の先端部に取り付けられている塗布体41A、41Bと、から構成される。【選択図】図２
2020128275.tif 000002
【特許請求の範囲】
【請求項１】
ワイヤロープの表面にロープ油を塗布するための治具であって、
一対の細長い挟み棒を中間位置で回動自在に軸を介して連結した治具本体と、
前記挟み棒の先端部に取り付けられている塗布体と、
からなることを特徴とするロープ油塗布用治具。
【請求項２】
前記塗布体は、前記挟み棒の先端に互いに向き合うように回転自在にピンを介して取り付けられた塗布体ホルダに装着されていることを特徴とする請求項１に記載のロープ油塗布用治具。
【請求項３】
前記塗布体は、不織布からなり、ワイヤロープとの接触面に凹曲面が形成されていることを特徴とする請求項２に記載のロープ油塗布用治具。
【発明の詳細な説明】
【技術分野】
【０００１】
本発明の実施形態は、ワイヤロープにロープ油を塗布するためのロープ油塗布用治具に関する。
【背景技術】
【０００２】
エレベータでは、巻上機に使用されるメインロープや、調速機に用いられるガバナロープの他、かごドアやホールドアの開閉にワイヤロープが使用されている。ワイヤロープは、素線といわれる細い鋼線が撚り合わされた複数のストランドを、中央部の繊維芯の周囲に撚り合わせて構成されたロープである。  
ワイヤロープは、シーブとの摩擦により素線が切れるのを防止したり、腐食を防止するために、潤滑油（以下、ロープ油という）が塗布されている。また、ワイヤロープは、長期間使用されると、潤滑油に塵埃が付着する等により、使用に支障を来す場合がある。このため、ワイヤロープを清掃したり、ロープ油を塗布し直したりする等のメンテナンスが定期的に必要となる。
【０００３】
安全上、点検保守の優先度が高く、しかも保守作業に時間のかかるメインロープでは、作業効率を上げるために、専用の装置類の適用により省力化が図られている。  
他方、かごドアやホールドアのドアロープでは、省力化の優先度はそれほど高くないため、ドアロープの清掃や塗布ついては、作業員がロープを浸したウエス（ぼろ布）を用いて手作業で実施しているのが現状である。
【先行技術文献】
【特許文献】
【０００４】
【特許文献１】特開２０１７−１２８４０１号公報
【発明の開示】
【発明が解決しようとする課題】
【０００５】
しかしながら、かごドアやホールドアのドアロープにロープ油を塗布する作業は、非常に狭い作業スペースの中で行うことを強いられる。しかも、狭いだけでなく、足場にしている位置からは、手の届きにくいところまで手を伸ばして、ロープ油を塗布しなければならない場合がある。
【０００６】
このような場合、作業員は、無理な姿勢によって、バランスを崩すことがあり、昇降路の中での高所作業では非常に危険である。  
また、ドア装置に付属している機器類が入り組んだ部分に手を伸ばさなければならないこともあり、プーリやリンク等に手が挟まれる危険性もあった。
【０００７】
本発明は、前記従来技術の有する問題点に鑑みなされたものであって、手が届き難く狭い作業スペースでも、安全に能率良くロープ油をワイヤロープに塗布できるようにするロープ油塗布用治具を提供することを目的としている。
【課題を解決するための手段】
【０００８】
前記の目的を達成するために、本発明の一実施形態に係るロープ油塗布用治具は、ワイヤロープの表面にロープ油を塗布するための治具であって、一対の細長い挟み棒を中間位置で回動自在に軸を介して連結した治具本体と、前記挟み棒の先端部に取り付けられている塗布体と、からなることを特徴とするものである。
【図面の簡単な説明】
【０００９】
【図１】本発明のロープ油塗布用治具が使用されるエレベータのオールドア側のドア装置を示す。
【図２】本発明の一実施形態によるロープ油塗布用治具を示す側面図である。
【図３】図２のロープ油塗布用治具の先端部を示す斜視図である。
【図４】ドアロープにロープ油を塗布している状態のロープ油塗布用治具を示す図である。
【図５】ドアロープを挟んでいるロープ油塗布用治具の先端部を上から見た図である。
【発明を実施するための最良の形態】
【００１０】
以下、本発明によるロープ油塗布用治具の一実施形態について、添付の図面を参照しながら説明する。  
本実施形態は、エレベータのドア装置で用いられているドアロープにロープ油を塗布する治具として構成されている。  
まず、図１にエレベータのホールドア側のドア装置を示す。  
図１において、参照番号10A、10Bは、エレベータホール出入口を開閉するホールドアを示している。この図１では、昇降路側から見たホールドア10A、10Bが示されている。参照番号12は、ヘッダーケースを示している。ヘッダーケース12には、ドアガイド15が水平に取り付けられている。ホールドア10A、10Bの上端には、それぞれドアハンガー14A、14Bが取り付けられている。ドアハンガー14には、ローラ16、17が設けられており、ホールドア10A、10Bが開閉するときには、ローラ16、17がドアガイド15に沿って転動するようになっている。
【００１１】
ヘッダーケース12の両端部には、プーリ18、19が設けられている。これらのプーリ18、19には、ドアロープ20が無端状に掛け回されている。このようなドアロープ20とドアハンガー14A、14Bは、連結されており、ドアロープ20が走行するにしたがってホールドア10A、10Bが開閉するように構成されている。
【００１２】
次に、以上のようなドアロープ20にロープ油を塗布するのに用いる治具の構成について、図２および図３を参照して説明する。  
図２は、本実施形態によるロープ油塗布用治具を示す側面図である。図３は、ロープ油塗布用治具の先端部を示す斜視図である。  
ロープ油塗布用治具30は、細長い一対の挟み棒31、32と、この挟み棒31、32の先端部に取り付けられている、ロープ油の滲み込んだ塗布体41A、41Bと、を有している。挟み棒31、32では、塗布体41A、41Bと反対側の端部は、握りとなるグリップ33、34となっている。挟み棒31、32は、中間位置で軸28を介して回動自在に連結されている。
【００１３】
挟み棒31、32の先端部35、36には、ピン43、44を介して塗布体ホルダ40A、40Bが取り付けられている。この実施形態では、塗布体ホルダ40A、40Bは、互いに向き合って塗布体41A、41Bでドアロープ20を挟めるようにピン43、44を介して挟み棒31、32に取り付けられており、また、塗布体ホルダ40A、40Bはドアロープ20を挟んだまま回動可能になっている。
【００１４】
この実施形態では、塗布体41A、41Bには、フェルトなどの不織布が材料として用いられている。塗布体41A、41Bの材料としては、ドアロープ20の表面を摺動しても破れず、また、ロープ油の滲み込みやすい性質のものであれば、不織布に限られない。
【００１５】
図３に示されるように、ドアロープ20と接触する塗布体41Aの面には、凹曲面42が形成されている。もう片方の塗布体41Bにも、図示しないが同様の凹曲面が形成されている。
【００１６】
本実施形態によるロープ油塗布用治具は、以上のように構成されるものであり、次に、その作用および効果について説明する。  
図４は、ドアロープ20にロープ油を塗布している状態のロープ油塗布用治具30を示す。  
塗布体41A、41Bには、ロープ油を十分に滲み込ませておく。図４に示されるように、作業員は、グリップ33、34を片手で持って、グリップ33、34を握り締めることで、塗布体41A、41Bでドアロープ20を挟むことができる。ドアロープ20を挟んだ状態のまま、ロープ油塗布治具30をドアロープ20に沿って動かすことより、塗布体41A、41Bから滲み出るロープ油をドアロープ20の表面にむら無く塗布することができる。
【００１７】
本実施形態によれば、従来のように、ロープ油の染みたウエス（ボロ布）をドアロープ20に巻き付けて塗布するというような手作業の替わりに、ロープ油塗布用治具30を使って、簡便に能率良くロープ油の手作業を行うことができる。  
また、挟み棒31、32の長さ分だけ、ドアロープ20の遠くの位置まで塗布体41A、41Bが届くようになるため、塗布する範囲が拡がる利点がある。  
ここで、図５は、ドアロープ20を挟んでいるロープ油塗布用治具30の先端部35を上から見た図である。  
ロープ油塗布用治具30を動かすにしたがって、塗布体ホルダ40A、40Bは回動するので、塗布動作がスムーズになり、むらの無い塗布が可能になる。
【００１８】
次に、図１において、ホールドア10A、10Bのドアロープ20にロープ油を塗布する場合に即してより具体的に説明すると、プーリ18、19の近くともなると、作業員の手の届きにくい箇所になる。このような手の届かない箇所であっても、本実施形態のロープ油塗布用治具30を用いることで、手を伸ばすときに無理な姿勢になったり、プーリ18、19に挟まれることなく、安全に作業性良くロープ油をドアロープ20に塗布することができる。
【００１９】
なお、かごドアについては、図示はしないが、ドアリンク機構の奥になると、手が届き難くなるが、このような箇所でも、本実施形態のロープ油塗布用治具30を用いることで、ドアリンク機構に挟まれることなく、安全にロープ油を塗布することができる。
【００２０】
以上、本実施形態では、ロープ油塗布用治具の使用場面として、エレベータのドアロープを例に挙げて説明したが、これに限定されるものではない。
【００２１】
以上、本発明に係るロープ油塗布用治具について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００２２】
10A、10B…ホールドア、12…ヘッダーケース、14A、14B…ドアハンガー、15…ドアガイド、16、17…ローラ、18、19…プーリ、20…ドアロープ、30…ロープ油塗布用治具、31、32…挟み棒、33、34…グリップ、40A、40B…塗布体ホルダ、41A、41B…塗布体、42…凹曲面
【図１】
2020128275.tif 000003
【図２】
2020128275.tif 000004
【図３】
2020128275.tif 000005
【図４】
2020128275.tif 000006
【図５】
2020128275.tif 000007
【手続補正書】
【提出日】令和2年3月5日(2020.3.5)
【手続補正１】
【補正対象書類名】明細書
【補正対象項目名】０００８
【補正方法】変更
【補正の内容】
【０００８】
前記の目的を達成するために、本発明の一実施形態に係るロープ油塗布用治具は、エレベータのホールドアまたはかごドアを開閉するドア装置のワイヤロープの表面にロープ油を塗布するための治具であって、一対の細長い挟み棒を中間位置で回動自在に軸を介して連結した治具本体と、前記挟み棒の先端部に取り付けられている塗布体と、  からなり、前記挟み棒は握りとなるグリップを有し、前記塗布体は、前記挟み棒の先端に互いに向き合うように回転自在にピンを介して取り付けられた塗布体ホルダに装着されていることを特徴とするものである。
【手続補正２】
【補正対象書類名】特許請求の範囲
【補正対象項目名】全文
【補正方法】変更
【補正の内容】
【特許請求の範囲】
【請求項１】
エレベータのホールドアまたはかごドアを開閉するドア装置のワイヤロープの表面にロープ油を塗布するための治具であって、
一対の細長い挟み棒を中間位置で回動自在に軸を介して連結した治具本体と、
前記挟み棒の先端部に取り付けられている塗布体と、  からなり、
前記挟み棒は握りとなるグリップを有し、前記塗布体は、前記挟み棒の先端に互いに向き合うように回転自在にピンを介して取り付けられた塗布体ホルダに装着されていることを特徴とするロープ油塗布用治具。
【請求項２】
前記塗布体は、不織布からなり、ワイヤロープとの接触面に凹曲面が形成されていることを特徴とする請求項１に記載のロープ油塗布用治具。